(57)【要約】【課題】優れた美観を与えるアンテナ装置を提供する。【解決手段】柱形状のアンテナ本体部と、アンテナ本体部の底面である本体部底面２２に取り付けられた接続部３０と、を備える。接続部３０は、内部に空間が形成され、且つ底面３６にマストを挿入するためのマスト挿入口３２が形成された柱形状のカバー部３１と、カバー部３１の内部に設置され、マストを固定するように構成されている少なくとも１つの固定金具３５と、を有する。【選択図】図２
2018046505.tif 000002
【特許請求の範囲】
【請求項１】
マストに固定して使用するアンテナ装置であって、
柱形状のアンテナ本体部と、
前記アンテナ本体部の底面である本体部底面に取り付けられた接続部と、を備え、
前記接続部は、
内部に空間が形成され、且つ底面に前記マストを挿入するためのマスト挿入口が形成された柱形状のカバー部と、
前記カバー部の内部に設置され、前記マストを固定するように構成されている少なくとも１つの固定金具と、を有する、
ことを特徴とするアンテナ装置。
【請求項２】
前記カバー部は、前記アンテナ本体部の中心軸と前記カバー部の中心軸とが一致するように構成されており、
前記固定金具は、前記アンテナ本体部の中心軸と前記マストの中心軸とが一致するような位置で、前記マストを固定するように構成されている、
ことを特徴とする請求項１に記載のアンテナ装置。
【請求項３】
前記アンテナ本体部は、前記本体部底面から前記カバー部の内部へ突出するように設けられた出力コネクタを有する、
ことを特徴とする請求項１又は２に記載のアンテナ装置。
【請求項４】
前記カバー部は、前記カバー部の柱形状の中心軸に平行な面で分割して形成された２つのカバー部材を有し、一方の前記カバー部材が他方の前記カバー部材に対して開閉自在に取り付けられて構成されている、
ことを特徴とする請求項３に記載のアンテナ装置。
【請求項５】
前記接続部は、前記カバー部の内部に、前記本体部底面から突出した前記出力コネクタを取り囲み、前記出力コネクタの周囲の空間と、前記カバー部内の空間とを仕切るように構成された小部屋部を有し、
前記カバー部材のそれぞれは、前記カバー部材が閉じられた際に前記小部屋部を形成する仕切部材を有し、
前記仕切部材には、前記出力コネクタに接続されるケーブルを前記小部屋部の内部へ挿入するためのケーブル挿入口が形成されている、
ことを特徴とする請求項４に記載のアンテナ装置。
【請求項６】
前記マストは柱形状に形成されており、
前記固定金具として、複数の前記マストの外径に対応するように、中心軸が同一で内径が異なる複数の固定金具を有する、
ことを特徴とする請求項１〜５のいずれか１項に記載のアンテナ装置。
【請求項７】
柱形状のアンテナ本体部と、
前記アンテナ本体部の底面である本体部底面に取り付けられ、内部に筒形状の固定金具を有する筒形状の接続部と、
前記固定金具に先端部分が嵌合するように構成された筒形状のマストと、
前記本体部底面から前記固定金具の内部へ突出するように設けられた出力コネクタと、
前記マストの内部を通るケーブルに装着され、前記マストの先端部分に固定される接続コネクタと、を備え、
前記出力コネクタと前記接続コネクタとは、前記固定金具と前記マストの先端部分との嵌合に伴い、接続されるように構成されている、
ことを特徴とするアンテナ装置。
【請求項８】
前記アンテナ本体部は、円柱形状に形成されており、
前記接続部は、前記アンテナ本体部と同一の中心軸且つ同一の外径の円柱形状に形成されている、
ことを特徴とする請求項１〜７のいずれか１項に記載のアンテナ装置。
【発明の詳細な説明】
【技術分野】
【０００１】
本発明は、マストに固定して使用する柱形状のアンテナ装置に関する。
【背景技術】
【０００２】
マストに固定して使用する柱形状のアンテナ装置として、特許文献１に記載のアンテナ装置がある。特許文献１に記載のアンテナ装置は、アンテナカバーに、下端部分が突出するようにアンテナ取付支柱が収納されており、アンテナカバーから突出したアンテナ取付支柱が取付金具でマストに固定されて使用される。
【先行技術文献】
【特許文献】
【０００３】
【特許文献１】特許第５１４３７５３号公報
【発明の概要】
【発明が解決しようとする課題】
【０００４】
一般に、家屋に設置されるようなアンテナ装置は、性能だけでなく美観も重視される。しかしながら、特許文献１に記載のアンテナ装置は、マストにアンテナ取付支柱を固定する取付金具が露出しており、美観を損なっている。
【０００５】
本発明は、上記実情に鑑みてなされたものであり、優れた美観を与えるアンテナ装置を提供することを主たる目的とする。
【課題を解決するための手段】
【０００６】
請求項１に記載の発明は、マストに固定して使用するアンテナ装置であって、柱形状のアンテナ本体部と、前記アンテナ本体部の底面である本体部底面に取り付けられた接続部と、を備え、前記接続部は、内部に空間が形成され、且つ底面に前記マストを挿入するためのマスト挿入口が形成された柱形状のカバー部と、前記カバー部の内部に設置され、前記マストを固定するように構成されている少なくとも１つの固定金具と、を有する、ことを特徴とする。
【０００７】
請求項２に記載の発明は、請求項１に記載のアンテナ装置であって、前記カバー部は、前記アンテナ本体部の中心軸と前記カバー部の中心軸とが一致するように構成されており、前記固定金具は、前記アンテナ本体部の中心軸と前記マストの中心軸とが一致するような位置で、前記マストを固定するように構成されている、ことを特徴とする。
【０００８】
請求項３に記載の発明は、請求項１又は２に記載のアンテナ装置であって、前記アンテナ本体部は、前記本体部底面から前記カバー部の内部へ突出するように設けられた出力コネクタを有する、ことを特徴とする。
【０００９】
請求項４に記載の発明は、請求項３に記載のアンテナ装置であって、前記カバー部は、前記カバー部の柱形状の中心軸に平行な面で分割して形成された２つのカバー部材を有し、一方の前記カバー部材が他方の前記カバー部材に対して開閉自在に取り付けられて構成されている、ことを特徴とする。
【００１０】
請求項５に記載の発明は、請求項４に記載のアンテナ装置であって、前記接続部は、前記カバー部の内部に、前記本体部底面から突出した前記出力コネクタを取り囲み、前記出力コネクタの周囲の空間と、前記カバー部内の空間とを仕切るように構成された小部屋部を有し、前記カバー部材のそれぞれは、前記カバー部材が閉じられた際に前記小部屋部を形成する仕切部材を有し、前記仕切部材には、前記出力コネクタに接続されるケーブルを前記小部屋部の内部へ挿入するためのケーブル挿入口が形成されている、ことを特徴とする。
【００１１】
請求項６に記載の発明は、請求項１〜５のいずれか１項に記載のアンテナ装置であって、前記マストは柱形状に形成されており、前記固定金具として、複数の前記マストの外径に対応するように、中心軸が同一で内径が異なる複数の固定金具を有する、ことを特徴とする。
【００１２】
請求項７に記載の発明は、柱形状のアンテナ本体部と、前記アンテナ本体部の底面である本体部底面に取り付けられ、内部に筒形状の固定金具を有する筒形状の接続部と、前記固定金具に先端部分が嵌合するように構成された筒形状のマストと、前記本体部底面から前記固定金具の内部へ突出するように設けられた出力コネクタと、前記マストの内部を通るケーブルに装着され、前記マストの先端部分に固定される接続コネクタと、を備え、前記出力コネクタと前記接続コネクタとは、前記固定金具と前記マストの先端部分との嵌合に伴い、接続されるように構成されている、ことを特徴とする。
【００１３】
請求項８に記載の発明は、請求項１〜７のいずれか１項に記載のアンテナ装置であって、前記アンテナ本体部は、円柱形状に形成されており、前記接続部は、前記アンテナ本体部と同一の中心軸且つ同一の外径の円柱形状に形成されている、ことを特徴とする。
【発明の効果】
【００１４】
請求項１に記載の発明によれば、マストを固定する固定金具がカバー部の内部に隠される。したがって、固定金具が露出しないため、シンプルな外観となり、優れた美観を与えることができる。
【００１５】
請求項２に記載の発明によれば、アンテナ本体部の中心軸とカバー部の中心軸とマストの中心軸とが一致するので、よりシンプルな外観となり、より良い美観を与えることができる。
【００１６】
請求項３に記載の発明によれば、固定金具だけでなく、ケーブルを接続する出力コネクタもカバー部の内部に設けられており、出力コネクタも露出しない。よって、より良い美観を与えることができる。
【００１７】
請求項４に記載の発明によれば、カバー部が２つのカバー部材から構成されており、２つのカバー部材を開けた状態で、固定金具にマストを固定したり、出力コネクタにケーブルを接続したりすることができるため、作業がしやすい。
【００１８】
請求項５に記載の発明によれば、２つのカバー部材を開いて、固定金具によりマストを固定し、出力コネクタにケーブルを接続した後、２つのカバー部材を閉じると、出力コネクタの周囲が小部屋部で囲まれる。これにより、出力コネクタの防水性能が向上するため、接続部内に水が浸入しても、小部屋部内の出力コネクタが濡れることを抑制できる。ひいては、出力コネクタを覆う防水キャップを不要とできる。
【００１９】
請求項６に記載の発明によれば、外径の異なる複数種類のマストの中からアンテナ装置を固定するマストを選択し、選択したマストを接続部に固定することができる。
請求項７に記載の発明によれば、固定金具とマストの先端部分とを嵌合させるだけで、アンテナ本体部とマストとを機械的に接続することができるとともに、アンテナ本体部とケーブルとを電気的に接続することができる。また、その際、ケーブルがマスト内部を通るため、よりシンプルな外観となり、より良い美観を与えることができる。さらに、アンテナ本体部を回転させる際にケーブルの制限を受けにくくなるため、アンテナ本体部の方向調整をしやすい。
【００２０】
請求項８に記載の発明によれば、アンテナ本体部の外側面と接続部の外側面とが面一になるため、よりシンプルな外観となり、より良い美観を与えることができる。
【図面の簡単な説明】
【００２１】
【図１】マストに固定されたアンテナ装置の外観を示す図である。
【図２】第１実施形態に係る接続部の内部を示す斜視図である。
【図３】第１実施形態に係る接続部の内部を示す正面図である。
【図４】第２実施形態に係る接続部の内部を示す斜視図である。
【図５】第２実施形態において、細マストが固定された接続部の内部示す正面図である。
【図６】第２実施形態において、太マストが固定された接続部の内部を示す正面図である。
【図７】図５におけるＶＩＩ−ＶＩＩ線断面図である。
【図８】図６におけるＶＩＩＩ−ＶＩＩＩ線断面図である。
【図９】第３実施形態に係るアンテナ装置の接続部及びマストの内部を示す透視図である。
【図１０】第３実施形態において、マストを固定した接続部の内部を示す透視図である。
【図１１】第３実施形態に係るアンテナ出力コネクタ及びアンテナ接続コネクタの内部を示す断面図である。
【図１２】第３実施形態に係る固定金具及びＣリングが外側面に取り付けられたマストの断面図である。
【図１３】第３実施形態に係るＯリングが外側面に取り付けられたマストの断面図である。
【図１４】第３実施形態において、マストの外側面に取り付けられるＣリングの外観を示す図である。
【図１５】図１４におけるＸＶ−ＸＶ線断面図である。
【図１６】第３実施形態において、マストの外側面に取り付けられるＯリングの断面を示す図である。
【図１７】第３実施形態において、固定金具とマストの先端部分とを嵌合させる様子を示す図である。
【図１８】第３実施形態において、固定金具にＣリングが嵌合した状態を示す断面図である。
【図１９】他の実施形態に係るマストに固定されたアンテナ装置の外観を示す図である。
【発明を実施するための形態】
【００２２】
以下、図面を参照しながら、発明を実施するための形態を説明する。
（第１実施形態）
[１．全体構成]
第１実施形態に係るアンテナ装置１０の外観を図１に示す。アンテナ装置１０は、アンテナ本体部２０と接続部３０とを備え、マスト７０に固定して使用される。アンテナ装置１０は、例えば、地上デジタル放送受信用のＵＨＦアンテナである。ここでは、アンテナ装置１０の中心軸Ｌに平行な方向を上下方向とする。そして、アンテナ装置１０のマスト７０に接続する側を後端側あるいは下側とし、後端側の反対側を先端側あるいは上側とする。
【００２３】
マスト７０は、金属で形成された円筒形状の棒である。マスト７０は、支持金具で家屋の屋根や家屋の壁に設置されたり、後端部分が地中に埋設されて設置されたりする。そして、家屋の屋根等に設置されたマスト７０の先端部分に、接続部３０が固定される。
【００２４】
アンテナ本体部２０は、円柱形状に形成された指向性アンテナである。詳しくは、アンテナ本体部２０は、樹脂で形成された円筒形状のアンテナカバーと、アンテナカバーの内部に設置されたアンテナ素子とを備える。アンテナ本体部２０の外側面には、アンテナ装置１０の正面であることを示す目印２１が描かれている。アンテナ装置１０の正面とは、アンテナ装置１０の指向性の方向のことである。目印２１は、ペイントに限らず、凹凸など見分けがつくものであれば何でもよい。なお、目印２１は、接続部３０の外側面に設けられていてもよい。
【００２５】
接続部３０は、中心軸がアンテナ本体部２０の中心軸Ｌと一致し、外径がアンテナ本体部２０の外径と一致する円柱形状に形成されている。接続部３０の内部には、空間が形成されている。接続部３０は、円柱形状の上面３７がアンテナ本体部２０の底面である本体部底面２２に当接するように、本体部底面２２に取り付けられている。なお、ここでの一致は、厳密な一致に限らず、多少のずれがあっても一致と見なせる範囲であれば一致とする。以下でも同様である。
【００２６】
[２．接続部の構成]
次に、接続部３０の詳細な構成について説明する。接続部３０は、図２及び図３に示すように、カバー部３１と、固定金具３５と、を備える。
【００２７】
カバー部３１は、円柱形状を中心軸Ｌに平行な面で分割して形成した２つのカバー部材３１ａ，３１ｂ、つまり、半円柱形状の２つのカバー部材３１ａ，３１ｂを有する。円柱形状を分割した分割面は、カバー部材３１ａ，３１ｂの開口面となっている。カバー部材３１ａ，３１ｂは樹脂で形成されている。カバー部材３１ｂの長手方向の端部は、カバー部材３１ａの長手方向の端部に、ヒンジ３４を介して取り付けられている。すなわち、カバー部材３１ｂは、カバー部材３１ａに対して開閉自在に取り付けられている。なお、ここでは、カバー部材３１ａの開口面に平行且つ中心軸Ｌに垂直な方向を左右方向、カバー部材３１ａの開口面に垂直な方向を前後方向とする。そして、カバー部材３１ａの側を後側、カバー部材３１ｂの側を前側とし、図面左側をそのまま左側、図面右側をそのまま右側とする。
【００２８】
カバー部材３１ａは、半円筒形状の側面３８ａと、半円形状の底面３６ａと、半円形状の上面３７ａとを備える。同様に、カバー部材３１ｂは、半円筒形状の側面３８ｂと、半円形状の底面３６ｂと、半円形状の上面３７ｂとを備える。側面３８ａは、アンテナ本体部２０のアンテナカバーと一体成形されている。また、カバー部材３１ａは、内部に、矩形状の床面３９を備える。床面３９は、カバー部材３１ａの開口面に平行に嵌め込まれている。
【００２９】
カバー部材３１ａ，３１ｂを閉じると、側面３８ａと側面３８ｂが組み合って、円柱形状のカバー部３１の側面となる。また、カバー部材３１ａ，３１ｂを閉じると、底面３６ａと底面３６ｂが組み合ってカバー部３１の底面３６となり、上面３７ａと上面３７ｂが組み合ってカバー部３１の上面３７となる。
【００３０】
カバー部材３１ａの底面３６ａには、中心軸Ｌを中心とした半円形状の切欠部３２ａが形成されている。切欠部３２ａの径は、マスト７０の外径よりもやや大きくなっている。同様に、カバー部材３１ｂの底面３６ｂには、中心軸Ｌを中心とした、切欠部３２ａと同じ大きさの半円形状の切欠部３２ｂが形成されている。これにより、カバー部材３１ａ，３１ｂを閉じると、切欠部３２ａと切欠部３２ｂが組み合って、カバー部３１の底面３６には、マスト７０を挿入するためのマスト挿入口３２が形成される。
【００３１】
また、カバー部材３１ａの底面３６ａには、切欠部３２ａの左右に、半円形状の切欠部３３ａが形成されている。切欠部３３ａの径は、同軸ケーブル８０の外径よりもやや大きくなっている。同様に、カバー部材３１ｂの底面３６ｂには、切欠部３２ｂの左右に、切欠部３３ａと同じ大きさの半円形状の切欠部３３ｂが形成されている。これにより、カバー部材３１ａ，３１を閉じると、切欠部３３ａと切欠部３３ｂが組み合って、カバー部３１の底面３６には、同軸ケーブル８０を挿入するためのケーブル挿入口３３が２つ形成される。同軸ケーブル８０は、アンテナ本体部２０で受信された受信信号を伝送するためのケーブルである。
【００３２】
なお、マスト挿入口３２の径を、マスト７０の径よりも十分に大きく形成し、マスト挿入口３２からマスト７０とともに同軸ケーブル８０を挿入するようにしてもよい。この場合、底面３６にケーブル挿入口３３は形成されていなくてもよい。
【００３３】
[３．防水構造]
カバー部材３１ａは、内部において、床面３９上に、前面が開口した箱形状の仕切部材４０ａを備える。仕切部材４０ａは、カバー部３１の内部へ突出した２つの出力コネクタ２５の後側半分を取り囲むように、カバー部材３１ａの上部の右側と左側に形成されている。出力コネクタ２５は、アンテナ本体部２０により受信された受信信号を出力する円柱形状のＦ型コネクタであり、アンテナ本体部２０の本体部底面２２から後側へ突出するように設けられている。出力コネクタ２５には、同軸ケーブル８０が接続される。
【００３４】
仕切部材４０ａは、箱形状の側面となる４つの仕切面４１ａ〜４４ａと、箱形状の後面となる仕切面４７ａとから形成されている。このうち仕切面４２ａは上面３７ａの一部分であり、仕切面４３ａは側面３８ａの一部分である。また、仕切面４７ａは床面３９の一部分である。仕切面４１ａは仕切面４３ａに対向する面であり、仕切面４４ａは仕切面４２ａに対向する面である。
【００３５】
仕切面４２ａには、半円形状の切欠部４６ａが形成されている。切欠部４６ａの径は、出力コネクタ２５の外径よりもやや大きくなっており、切欠部４６ａは、出力コネクタ２５の後側半分に当接する。また、仕切面４４ａには、半円形状の切欠部４５ａが形成されている。切欠部４５ａの径は、同軸ケーブル８０の外径よりもやや大きくなっている。
【００３６】
一方、カバー部材３１ｂは、内部に、後面が開口した箱形状の仕切部材４０ｂを備える。仕切部材４０ｂの開口は、仕切部材４０ａの開口と同じ大きさに形成されている。仕切部材４０ｂは、カバー部材３１ａ，３１ｂを閉じたときに、出力コネクタ２５の前側半分を取り囲むように、カバー部材３１ｂの上部の右側と左側に形成されている。
【００３７】
仕切部材４０ｂは、箱形状の側面となる４つの仕切面４１ｂ〜４４ｂと、箱形状の前面となる仕切面４７ｂとから形成されている。このうち、仕切面４２ｂは上面３７ｂの一部分であり、仕切面４３ｂ及び仕切面４７ｂは側面３８ｂの一部分である。仕切面４１ｂは仕切面４３ｂに対向する面であり、仕切面４４ｂは仕切面４２ｂに対向する面である。
【００３８】
仕切面４２ｂには、切欠部４６ａと同じ大きさの切欠部４６ｂが形成されており、カバー部材３１ａ，３１ｂを閉じたときに、切欠部４６ｂは、出力コネクタ２５の前側半分に当接する。また、仕切面４４ｂには、切欠部４５ａと同じ大きさの切欠部４５ｂが形成されている。
【００３９】
カバー部材３１ａ，３１ｂを閉じると、仕切部材４０ａと仕切部材４０ｂが組み合って、２つの小部屋部４０が形成される。小部屋部４０は、それぞれ、出力コネクタ２５を取り囲み、出力コネクタ２５の周囲の空間と、カバー部３１内の空間とを仕切るように構成される。そして、仕切面４２ａと仕切面４２ｂとから形成される小部屋の上面には、切欠部４６ａと切欠部４６ｂが組み合って、出力コネクタ２５を通すコネクタ挿入口４６が形成される。また、仕切面４４ａと仕切面４４ｂとから形成される小部屋部４０の底面には、切欠部４５ａと切欠部４５ｂが組み合って、ケーブル挿入口４５が形成される。
【００４０】
同軸ケーブル８０は、底面３６に形成されたケーブル挿入口３３から挿入され、ケーブル挿入口４５を通って小部屋部４０内に引き込まれ、出力コネクタ２５に接続される。本実施形態では、２本の同軸ケーブル８０を、それぞれ出力コネクタ２５に接続することができるが、出力コネクタ２５、ケーブル挿入口３３、及びケーブル挿入口４５の数は１つでも、３つ以上でもよい。
【００４１】
小部屋部４０の仕切面には、ケーブル挿入口４５とコネクタ挿入口以外には隙間がなく、ケーブル挿入口４５とコネクタ挿入口も、同軸ケーブル８０と出力コネクタ２５で塞がれる。そのため、マスト挿入口３２から水滴が浸入しても、出力コネクタ２５への水滴の付着が抑制される。
【００４２】
[４．固定金具]
固定金具３５は、接続部３０をマスト７０に固定するように構成されている金具であり、カバー部３１の内側に設けられている。本実施形態では、図２及び図３に示すように、２つの固定金具３５が、カバー部材３１ａの床面３９上に、上下方向に所定の間隔を開けて設けられている。２つの固定金具３５は、同形状に形成された同じ種類の金具である。
【００４３】
固定金具３５は、第１部材３５ａと、第２部材３５ｂと、２つの螺子３５ｃとを備える。第１部材３５ａは、前側に突出した略半円環形状の部材であり、半円環部と、半円環部の端部から左右に延伸された延伸部とを備える。第２部材３５ｂは、床面３９に固定された略直方体形状の部材であり、前面に後側へ凹んだ凹み部が形成されている。第２部材３５ｂの凹み部は、断面が半円形状であり、内側面に滑り止めの凹凸が形成されている。第１部材３５ａの半円環部の径と第２部材３５ｂの凹部の径は、マスト７０の外径よりもやや大きくなっている。
【００４４】
第２部材３５ｂの前面に、第１部材３５ａの左右の延伸部を当接させて、螺子３５ｃで螺子止めすると、第１部材３５ａの半円環部と第２部材３５ｂの凹部が組み合って、内側に円柱形状の固定孔が形成される。この固定孔は、マスト７０を挿通する挿通孔となっており、この固定孔の径は、マスト７０の外径よりもやや大きくなっている。すなわち、固定金具３５の内径は、マスト７０の外径よりもやや大きくなっている。２つの固定金具３５の固定孔の中心軸は、アンテナ本体部２０の中心軸Ｌと同一になっている。そのため、マスト７０に固定金具３５を取り付けると、マスト７０の中心軸がアンテナ本体部２０の中心軸Ｌと同一となる。
【００４５】
ここで、アンテナ装置１０をマスト７０に固定する方法を説明する。まず、カバー部材３１ａ，３１ｂを開けて、第１部材３５ａを取り外し、第２部材３５ｂの凹み部にマスト７０を嵌める。そして、第１部材３５ａを前側からマスト７０に当接させる。そして、第１部材３５ａと第２部材３５ｂとでマスト７０を挟持した状態で、螺子３５ｃで緩く仮止めする。その後、アンテナ装置１０を回転させて、目印２１を電波の送信塔の方向に向け、螺子３５ｃで固く本止めし、カバー部材３１ａ，３１ｂを閉じる。
【００４６】
［５．効果］
以上説明した第１実施形態によれば、以下の効果が得られる。
（１）カバー部材３１ａ，３１ｂを開いて、内部の固定金具３５にマスト７０を固定することで、マスト７０にアンテナ装置１０が固定される。そして、カバー部材３１ａ，３１ｂを閉じることで、固定金具３５がカバー部３１の内部に隠される。したがって、固定金具３５が露出しないため、シンプルな外観となり、優れた美観を与えることができる。
【００４７】
（２）アンテナ本体部２０の中心軸Ｌとカバー部３１の中心軸とマスト７０の中心軸とが一致しているので、よりシンプルな外観となり、より良い美観を与えることができる。
（３）固定金具３５だけでなく、同軸ケーブル８０を接続する出力コネクタ２５もカバー部３１の内部に設けられており、出力コネクタ２５も露出しない。よって、より良い美観を与えることができる。
【００４８】
（４）固定金具３５にマスト７０を固定し、出力コネクタ２５に同軸ケーブル８０を接続した後、カバー部材３１ａ，３１ｂを閉じると、出力コネクタ２５の周囲が小部屋部４０で囲まれる。これにより、接続部３０内に水が浸入しても、小部屋部４０内の出力コネクタ２５が濡れることを抑制できる。ひいては、出力コネクタ２５を覆う防水キャップを不要にできる。
【００４９】
（５）アンテナ本体部２０と接続部３０の中心軸及び外径が一致しているため、アンテナ本体部２０の外側面と接続部３０の外側面とが面一になる。よって、よりシンプルな外観となり、より良い美観を与えることができる。
【００５０】
（６）アンテナ本体部２０の外側面に正面であることを示す目印２１が付されているため、アンテナ装置１０の方向調整を容易に行うことができる。
（第２実施形態）
［１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００５１】
前述した第１実施形態では、接続部３０は同じ内径の２つの固定金具３５を備えていた。これに対し、第２実施形態では、図４に示すように、接続部３０は異なる内径の２つの固定金具３５１，３５２を備える点で、第１実施形態と相違する。
【００５２】
固定金具３５１，３５２は、固定孔の径が異なるだけで、固定金具３５と同様の構成となっている。固定金具３５１は、外径が比較的大きい太マスト７２に対応するように、固定孔の径が比較的大きく形成されている。一方、固定金具３５２は、外径が比較的小さい細マスト７１に対応するように、固定孔の径が比較的小さく形成されている。
【００５３】
図４に示すように、カバー部材３１ａの床面３９上で、固定金具３５１は、固定金具３５２よりも下側に、所定の間隔を開けて設置されている。固定金具３５１と固定金具３５２は、どちらも固定孔の中心軸が、アンテナ本体部２０の中心軸Ｌと一致するように設置されている。
【００５４】
アンテナ装置１０を細マスト７１に固定する場合は、図５及び図７に示すように、細マスト７１の先端部分が固定金具３５１と固定金具３５２の固定孔を通り、細マスト７１の先端面が固定金具３５２よりも上側に位置する状態で、細マスト７１の先端部分を固定金具３５２で挟持する。このとき、細マスト７１は、固定金具３５１の固定孔を通っているが、固定金具３５１に当接していない。
【００５５】
一方、アンテナ装置１０を太マスト７２に固定する場合は、図６及び図８に示すように、太マスト７２の先端部分が固定金具３５１の固定孔を通り、太マスト７２の先端面が固定金具３５１と固定金具３５２との間に位置する状態で、太マスト７２の先端部分を固定金具３５１で挟持する。
【００５６】
なお、接続部３０は、内径の異なる２種類の固定金具３５１，３５２を備えているが、内径の異なる３種類以上の固定金具を備えるようにしてもよい。固定金具の種類を増やすほど、外径の異なる複数のマストに対応することができる。この場合、床面３９上において、上側ほど内径の小さい固定金具を設置すればよい。また、固定金具３５１及び固定金具３５２を複数設け、複数の固定金具３５１で太マスト７２を固定し、複数の固定金具３５２で細マスト７１を固定するようにしてもよい。この場合、床面３９上に、複数の固定金具３５１を所定の間隔で設置し、複数の固定金具３５１の上側に、複数の固定金具３５２を所定の間隔で設置すればよい。
【００５７】
［２．効果］
以上説明した第２実施形態によれば、前述した第１実施形態の効果（１）〜（６）に加え、以下の効果が得られる。
【００５８】
（７）接続部３０が内径の異なる複数種類の固定金具３５１，３５２を備えているため、外径の異なる複数種類のマストの中から、アンテナ装置１０を固定するマストを選択することができる。
【００５９】
（第３実施形態）
[１．全体構成]
第３実施形態に係るアンテナ装置１００の外観を図９及び図１０に示す。アンテナ装置１００は、アンテナ本体部２００と、接続部３００と、マスト７００とを備える。アンテナ装置１００は、例えば、地上デジタル放送受信用のＵＨＦアンテナである。ここでは、アンテナ装置１００の中心軸ＬＬに平行な方向を上下方向とする。そして、アンテナ装置１０のマスト７００に接続する側を後端側あるいは下側とし、後端側の反対側を先端側あるいは上側とする。
【００６０】
アンテナ本体部２００は、アンテナ本体部２０と同様に構成されている。
接続部３００は、中心軸がアンテナ本体部２００の中心軸ＬＬと一致し、外径がアンテナ本体部２００の外径と一致する円柱形状に形成されている。接続部３００の内部には、空間が形成されている。接続部３００は、円柱形状の上面３７０がアンテナ本体部２００の底面である本体部底面２２０に当接するように、本体部底面２２０に取り付けられている。また、接続部３００の底面、すなわち円柱形状の底面は開口している。
【００６１】
接続部３００の内部には、マスト７００を固定するための固定金具４００が設置されている。固定金具４００の内径は、マスト７０の外径よりもやや大きくなっている。固定金具４００は、内側面に第１係合部４１０が形成されている。また、本体部底面２２０から固定金具４００の内部に突出するように、円柱形状の出力コネクタ２５０が設けられている。固定金具４００及び出力コネクタ２５０は、中心軸がアンテナ本体部２００の中心軸ＬＬと一致する位置に設けられている。
【００６２】
マスト７００は、金属で形成された円筒形状の棒であり、マスト７０と同様に、家屋の屋根等に固定される。マスト７００の内部には、接続コネクタ９０を装着した同軸ケーブル８０が通る。マスト７００の下部の側面には、内部から同軸ケーブル８０を引き出すためのケーブル引出口７１０が形成されている。接続コネクタ９０には、接続コネクタ９０をマスト７００の内側面に固定する固定具７４０が取り付けられている。マスト７００の先端部分の内側面には、固定具７４０の位置決めをするためのダボが、例えば１２０°間隔で設けられていてもよい。なお、マスト７００の後端部分を地中に埋設する場合は、ケーブル引出口７１０から同軸ケーブル８０を引き出すとよいが、マスト７００を空中に設置する場合は、ケーブル引出口７１０とマスト７００の開口した後端面のいずれから同軸ケーブル８０を引き出してもよい。出力コネクタ２５０及び接続コネクタ９０の詳細については後述する。
【００６３】
また、マスト７００の先端部分の外側面には、固定金具４００の第１係合部４１０に係合する第２係合部７２０が形成されている。さらに、マスト７００の先端部分の外側面において、第２係合部７２０の下側には、パッキン７３０が設置されている。なお、第２係合部７２０とパッキン７３０の設置位置は、上下入れ替えてもよい。また、第２係合部７２０とパッキン７３０は、それぞれ複数設置してもよい。第１係合部４１０、第２係合部７２０、及びパッキン７３０の詳細については後述する。
【００６４】
マスト７００の先端部分を、固定金具４００の内側に嵌合させると、第１係合部４１０と第２係合部７２０が係合するとともに、出力コネクタ２５０と接続コネクタ９０とが接続する。つまり、アンテナ本体部２００とマスト７００とが機械的に接続されるとともに、アンテナ本体部２００と同軸ケーブル８０とが電気的に接続される。
【００６５】
[２．コネクタの構成]
次に、出力コネクタ２５０及び接続コネクタ９０の構成について、図１１を参照して説明する。
【００６６】
出力コネクタ２５０は、コネクタ本体部２５１と、スプリング保持部２５２と、スプリング２５３と、を備える。コネクタ本体部２５１は、円筒形状の導電体である。スプリング保持部２５２は、コネクタ本体部２５１の内側面に当接するように設けられた絶縁体である。スプリング２５３は、コネクタ本体部２５１の中心に位置するように、スプリング保持部２５２に保持された導電体である。
【００６７】
接続コネクタ９０は、コネクタ本体部９１と、嵌合部９２と、板バネ９３と、中心コンタクト保持部９４と、中心コンタクト９５と、スリーブ９６と、圧入リング９７と、圧着リング９８と、芯線圧着部９９とを備える。また、接続コネクタ９０には、マスト７００の内側に当接する形状の固定具７４０が取り付けられている。本実施形態では、固定具７４０は円環形状になっている。
【００６８】
コネクタ本体部９１は、円筒形状の導電体である。嵌合部９２は、コネクタ本体部９１の先端部分の外側面に圧入された円筒形状の導電体である。板バネ９３は、嵌合部９２の先端部の突起とコネクタ本体部９１の上面により形成される溝に固定された円筒形状の導電体である。板バネ９３の側面には、内側に向かって突出した円弧状の突出部が、所定の間隔で複数形成されている。
【００６９】
中心コンタクト保持部９４は、円筒形状の絶縁体であり、コネクタ本体部９１の内部に取り付けられている。中心コンタクト９５は、中心コンタクト保持部９４の内部に保持される導電体である。中心コンタクト９５の内部の中心には、同軸ケーブル８０の芯線が入る穴が設けてあり、同軸ケーブルの芯線を入れて圧着固定する芯線圧着部９９を備えている。
【００７０】
スリーブ９６は、コネクタ本体部９１の底面から後側へ延伸した円筒形状の導電体であり、後側に向かって厚みが薄くなるようにテーパが設けられている。圧入リング９７は、スリーブ９６の外側面に圧着される円環形状の金属で形成されたリングである。圧入リング９７は、コネクタ本体部９１の底面に当接するように取り付けられた固定具７４０を、コネクタ本体部９１と挟んで挟持する。圧着リング９８は、同軸ケーブル８０の被覆の外側面に圧着される円環形状の金属で形成されたリングである。
【００７１】
接続コネクタ９０は、以下のような方法で組み立てられる。まず、コネクタ本体部９１の先端部分を、嵌合部９２に圧入して固着する。そして、板バネ９３を、嵌合部９２の内部の内側に、密着させて固定する。続いて、コネクタ本体部９１の後側に延伸したスリーブ９６に、固定具７４０を通し、さらに、圧入リング９７を圧入して固着する。
【００７２】
そして、所定の寸法に加工された同軸ケーブル８０の芯線を、中心コンタクト９５に挿通す。続いて、中心コンタクト保持部９４の内部に中心コンタクト９５を挿入し、中心コンタクト保持部９４の外側から圧着して、芯線圧着部９９を芯線に固定する。続いて、同軸ケーブル８０に圧着リング９８を通す。そして、同軸ケーブル８０の芯線が固定された中心コンタクト保持部９４及び中心コンタクト９５を、スリーブ９６側からコネクタ本体部９１の内部へ挿入するとともに、スリーブ９６を、同軸ケーブル８０のアルミラミネート箔と銅編組との間に挿入して、所定位置に仮固定する。同軸ケーブル８０がアルミラミネート箔を備えていない場合は、同軸ケーブル８０の芯線の外側の絶縁体と銅編組との間に、スリーブ９６を挿入すればよい。続いて、圧着リング９８を、同軸ケーブル８０の被覆に圧着して固定する。
【００７３】
固定金具４００の内部にマスト７００の先端部分を挿入すると、中心コンタクト９５がスプリング２５３に挟持されるとともに、コネクタ本体部２５１が嵌合部９２の内側に嵌合して、コネクタ本体部２５１の外側面が板バネ９３の突出部に当接する。これにより、同軸ケーブル８０がアンテナ本体部２００に電気的に接続され、アンテナ本体部２００で受信された受信信号が同軸ケーブル８０を介して伝送される。
【００７４】
[３．マストの固定構造]
次に、マスト７００とアンテナ本体部２００との機械的な固定について説明する。図１２に示すように、第１係合部４１０は、固定金具４００の内側面に環状に形成された溝である。また、図１４及び図１５に示すように、第２係合部７２０は、円環形状の一部分にスリットが入ったＣリングであり、鉛直断面が台形形状となっている。
【００７５】
図１２に示すように、マスト７００の先端部分の外側面には、環状の溝７２５が形成されており、第２係合部７２０は溝７２５に嵌め込まれている。その際、第２係合部７２０は、鉛直断面において、台形の短い方の底辺が長い方の底辺よりも上側になるように、溝７２５に埋め込まれている。溝７２５に埋め込まれた状態において、第２係合部７２０は、外側面の上端がマスト７００の外側面よりもやや内側に入っている、もしくは、外側面の上端がマスト７００の外側面と同一面上に存在し、外側面の下端がマスト７００の外側面よりも外側に突出ている。
【００７６】
また、図１６に示すように、パッキン７３０は、鉛直断面がＯ形すなわち円形の環状パッキンである。パッキン７３０の径は、マスト７００の外径よりもやや大きくなっている。図１３に示すように、マスト７００の先端部分の外側面には、溝７２５の下側に、環状の溝７３５が形成されており、パッキン７３０は溝７３５に埋め込まれている。溝７３５に埋め込まれた状態において、パッキン７３０は、マスト７００の外側面よりもやや外側に突出している。なお、溝７３５は、溝７２５の上側に形成されていてもよい。
【００７７】
なお、溝７３５を形成する際に、マスト７００の外側から中心に向けて力を加え、縮径処理をしてもよい。この場合、マスト７００の内側面には、縮径処理されて内側に突出した凸部が形成されるので、この凸部を、ダボの代わりに固定具７４０の位置決めに用いてもよい。
【００７８】
次に、アンテナ装置１００をマスト７００に固定する方法について、図１７及び図１８を参照して説明する。まず、マスト７００に第２係合部７２０とパッキン７３０を装着する。そして、固定金具４００の内部に、マスト７００の先端部分を挿入し、第２係合部７２０を縮径しつつマスト７００を押し進める。第２係合部７２０が固定金具４００の内部に入り、パッキン７３０が固定金具４００の外に出ている状態で、滑りを良くするために、パッキン７３０の少量の水分を含ませ、パッキン７３０を固定金具４００の内部へ圧入する。
【００７９】
固定金具４００の内部に第２係合部７２０とパッキン７３０が入ったら、パッキン７３０のマスト７００の外側面よりも突出している部分を押しつ潰しつつ、そのままマスト７００を推し進める。そして、第１係合部７１０の溝に第２係合部７２０を嵌合させる。これにより、マスト７００にアンテナ本体部２００が固定される。そして、アンテナ本体部２００を回転させて、目印２１を電波の送信塔の方向に向ける。パッキン７３０が乾くと、アンテナ本体部２００を回転させることができなくなり、アンテナ本体部２００の方向が固定される。
【００８０】
パッキン７３０は、適度な保持力と可動性を備えており、固定金具４００の内部に水滴が浸入するのを防ぐ防水部材であるとともに、アンテナ本体部２００の方向を固定する固定部材でもある。パッキン７３０が当接する固定金具４００の内側面に、ローレット等の滑り止めを設けておいてもよい。なお、第１係合部４１０及び第２係合部７２０の対を複数設けてもよいし、パッキン７３０を複数設けてもよい。
【００８１】
[４．効果]  
以上詳述した第３実施形態によれば、前述した第１実施形態の効果（１）〜（３）、（５）、（６）に加え、以下の効果が得られる。
【００８２】
（８）固定金具４００とマスト７００の先端部分とを嵌合させるだけで、アンテナ本体部２００とマスト７００とを機械的に接続することができるとともに、アンテナ本体部２００と同軸ケーブル８０とを電気的に接続することができる。
【００８３】
（９）同軸ケーブル８０がマスト７００の内部を通るため、よりシンプルな外観となり、より良い美観を与えることができる。さらに、アンテナ本体部２００を回転させる際に同軸ケーブル８０の制限を受けにくくなるため、アンテナ本体部２００の方向調整をしやすい。
【００８４】
（他の実施形態）
以上、本発明を実施するための形態について説明したが、本発明は上述の実施形態に限定されることなく、種々変形して実施することができる。
【００８５】
（ａ）上記各実施形態では、アンテナ本体部２０，２００と、接続部３０，３００と、マスト７０，７１，７２，７００の形状は、同じ円柱形状となっているが異なっていてもよい。また、上記各実施形態では、アンテナ本体部２０，２００及び接続部３０,３００の形状は、上下方向に垂直な鉛直断面が円形の円柱形状となっているがこれに限定されるものではない。例えば、アンテナ本体部２０，００及び接続部３０，３００の形状は、鉛直断面が楕円形状や、多角形状の柱形状でもよい。また、図１９に示すように、アンテナ本体部２０，２００及び接続部３０，３００の形状は、鉛直断面が、円形の一部分を直径に沿った線で切り取った形状となる柱形状でもよい。また、マスト７０，７１，７２，７００の形状も、円柱形状に限らない。マスト７０，７１，７２，７００の形状を円柱形状以外とした場合は、マスト挿入口３２、固定金具３５，３５１，３５２，４００の形状を、マスト７０，７１，７２，７００の形状に合わせた形状とすればよい。
【００８６】
（ｂ）上記各実施形態では、アンテナ本体部２０，２００と、接続部３０,３００と、マスト７０，７１，７２，７００の中心軸が一致しているが、一致していなくてもよい。中心軸が一致していなくても、固定金具３５，３５１，３５２，４００が露出していなければ、優れた美観を与えることができる。
【００８７】
（ｃ）上記各実施形態では、アンテナ本体部２０，２００と、接続部３０，３００の外径，形状が一致しているが、外径、形状は異なっていてもよい。アンテナ本体部２０，２００の外側面と、接続部３０，３００の外側面が面一になっていなくても、固定金具３５，３５１，３５２，４００が露出していなければ、優れた美観を与えることができる。
【００８８】
（ｄ）第1及び第２実施形態において、カバー部３１は、２つのカバー部材３１ａ，３１ｂから構成されていたが、分割されずに一体に形成されていてもよい。つまり、カバー部３１は、内部に空間を有する一体の柱形状に形成されていてもよい。この場合、例えば、固定金具３５を、固定金具４００のように、アンテナ本体部２０の底面２２に取り付けておき、固定金具３５にマスト７０を固定した後、カバー部３１を嵌めればよい。
【００８９】
（ｅ）第1及び第２実施形態において、出力コネクタ２５がカバー部３１の内部に設けられ露出していなかったが、出力コネクタ２５は露出していてもよい。出力コネクタ２５が露出していても、固定金具３５，３５１，３５２，４００が露出していなければ、優れた美観を与えることができる。
【００９０】
（ｆ）第１及び第２実施形態において、カバー部材３１ｂは、カバー部材３１ａに対して、前側に向かって開くように取り付けられているが、上側に向かって開くように取り付けられていてもよいし、下側に向かって開くように取り付けられていてもよい。また、カバー部材３１ｂは、カバー部材３１ａに対して上側又は下側にスライドするように取り付けられていてもよい。カバー部材３１ｂは、カバー部材３１ａに対して開閉自在となっていれば、どのように取り付けられていてもよい。
【００９１】
（ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００９２】
（ｈ）上述したアンテナ装置の他、当該アンテナ装置を構成要素とするシステムなど、種々の形態で本発明を実現することもできる。
【符号の説明】
【００９３】
１０，１００…アンテナ装置、２０，２００…アンテナ本体部、２１…目印、２２，２２０…本体部底面、２５，２５０…出力コネクタ、３０，３００…接続部、３１…カバー部、３１ａ，３１ｂ…カバー部材、３２…マスト挿入口、３５，３５１，３５２，４００…固定金具、４０…小部屋部、４０ａ，４０ｂ…仕切部材、３３，４５…ケーブル挿入口、７０，７１，７２，７００…マスト、８０…同軸ケーブル、９０…接続コネクタ。
【図１】
2018046505.tif 000003
【図２】
2018046505.tif 000004
【図３】
2018046505.tif 000005
【図４】
2018046505.tif 000006
【図５】
2018046505.tif 000007
【図６】
2018046505.tif 000008
【図７】
2018046505.tif 000009
【図８】
2018046505.tif 000010
【図９】
2018046505.tif 000011
【図１０】
2018046505.tif 000012
【図１１】
2018046505.tif 000013
【図１２】
2018046505.tif 000014
【図１３】
2018046505.tif 000015
【図１４】
2018046505.tif 000016
【図１５】
2018046505.tif 000017
【図１６】
2018046505.tif 000018
【図１７】
2018046505.tif 000019
【図１８】
2018046505.tif 000020
【図１９】
2018046505.tif 000021